(57)【要約】【課題】光ディスクに記録されているデータ（コンテンツデータ）を再生するまでの時間を短縮することのできる光ディスク再生方法を提供する。【解決手段】光ディスクの内周側または外周側に記録されているディスク管理領域のデータを読み出して（Ｓ１０）、再生パラメータの最適化を行い（Ｓ１２）、最適化したパラメータを設定して（Ｓ１３）、光ディスクのデータ領域に記録されているコンテンツデータを再生する（Ｓ１４）。【選択図】図７
2012133838.tif 000002
【特許請求の範囲】
【請求項１】
光ディスクに記録されているデータを読み出す再生手段と、
前記再生手段により前記光ディスクの内周側または外周側に記録されているディスク管理領域のデータを読み出して、そのときの読み出しエラーに応じて再生特性を決めるパラメータの最適化を行う最適化手段と、
を有して、
前記最適化手段によって最適化されたパラメータにより、前記光ディスクのデータ領域に記録されているデータを前記再生手段により再生することを特徴とする光ディスク再生装置。
【請求項２】
前記最適化手段によって最適化された前記パラメータを記憶する記憶手段を有することを特徴とする請求項１記載の光ディスク再生装置。
【請求項３】
前記最適化されたパラメータは、前記光ディスクの識別情報、前記データ領域に記録されているデータのアドレス、前記パラメータを記憶したときの回転速度、前記パラメータを記憶したときの温度と共に前記記憶手段に記憶し、前記光ディスクの再生指示があった際に、再生指示があった前記光ディスクの識別情報と同じ識別情報で、かつ前記回転速度および温度が同じ前記パラメータが前記記憶手段にある場合は、当該記憶されている前記パラメータを用いて前記データ領域のデータを再生することを特徴とする請求項２記載の光ディスク再生装置。
【請求項４】
前記最適化手段は、前記パラメータとして、前記光ディスクをＰＲＭＬ方式を用いて再生する際の適応等化器のタップ係数初期値を最適化するものであることを特徴とする請求項１〜３のいずれか一つに記載の光ディスク再生装置。
【請求項５】
前記最適化手段は、前記パラメータとして、前記光ディスクをＰＲＭＬ方式を用いて再生する際に最尤復号の等化目標レベル初期値を最適化するものであることを特徴とする請求項１〜４のいずれか一つに記載の光ディスク再生装置。
【請求項６】
光ディスクの内周側または外周側に記録されているディスク管理領域のデータを読み出して、そのときの読み出しエラーに応じて再生パラメータの最適化を行う段階と、
前記最適化されたパラメータにより、前記光ディスクのデータ領域に記録されているデータを再生する段階と、
を有することを特徴とする光ディスク再生方法。
【請求項７】
前記最適化されたパラメータは、前記光ディスクの識別情報、前記データ領域に記録されているデータのアドレス、前記パラメータを記憶したときの回転速度、前記パラメータを記憶したときの温度と共に記憶手段に記憶する段階を有し、
前記光ディスクの再生指示があった際に、再生指示があった前記光ディスクの識別情報と同じ識別情報で、かつ前記回転速度および温度が同じ前記パラメータが前記記憶手段にある場合は、当該記憶されている前記パラメータを用いて前記データ領域のデータを再生することを特徴とする請求項６記載の光ディスク再生方法。
【請求項８】
前記最適化するパラメータは、前記光ディスクをＰＲＭＬ方式を用いて再生する際の適応等化器のタップ係数初期値を最適化するものであることを特徴とする請求項６または７記載の光ディスク再生方法。
【請求項９】
前記最適化するパラメータは、前記光ディスクをＰＲＭＬ方式を用いて再生する際に最尤復号の等化目標レベル初期値を最適化するものであることを特徴とする請求項６〜８のいずれか一つに記載の光ディスク再生方法。
【発明の詳細な説明】
【技術分野】
【０００１】
本発明は、光ディスク再生装置および光ディスク再生方法に関する。
【背景技術】
【０００２】
光ディスクの再生に際しては、ディスク面に光を照射して読み取られる信号が最適な状態となるようにさまざまなパラメータの最適化が行われている。たとえば光ディスクを再生する際にイコライザー特性の最適化を行っている技術がある（特許文献１）。この技術によれば、光ディスクの実データを再生する前に、データ内のＥＣＣエラー数に対応してイコライザー特性のうちＥＱＢ値とＲＦ振幅の最適化を行っている。
【０００３】
ところで、光ディスクにおいては、その記録時にランダムにデータを記録することができるものがある（特許文献２）。
【先行技術文献】
【特許文献】
【０００４】
【特許文献１】特開２００３−１０９２２７号公報
【特許文献２】特開２００８−１１２４８４号公報
【発明の概要】
【発明が解決しようとする課題】
【０００５】
ランダム記録された光ディスクは、ランダム記録という特徴のために、一つのディスクであっても記録時の信号強度や記録時の環境がデータごとに異なる場合がある。これは、たとえば、第１のアドレスのセクターに記録されたデータと、第１のアドレスから離れた第２のアドレスのセクターに記録されたデータとで、記録された日時が違うために装置の環境温度が違ったり、装置そのものが違ったりするために起こる。
【０００６】
このため、このようなランダム記憶された光ディスクに対して再生特定の最適化を従来技術（特許文献１）のように行おうとすると、実データの再生前に、ランダムに記録された各データのＥＣＣブロックをとりあえず再生して、それぞれのランダム記録されたデータごとにイコライザー特性の最適化を行う必要がある。
【０００７】
ランダム記録されたデータの位置は、光ディスクの面内において、まさしくランダムに存在する。このため、各データのＥＣＣを読み取るとなれば、各データのあるＥＣＣブロックまで光ピックアップを移動させなければならなくなり、多くのシーク時間が発生してしまう。このためコンテンツデータの再生までに多くの時間がかかってしまうという問題がある。
【０００８】
本発明の目的は、光ディスクのデータ領域に記録されているデータ（コンテンツデータ）を再生するまでにかかる時間を短縮することのできる光ディスク再生装置および光ディスク再生方法を提供することである。
【課題を解決するための手段】
【０００９】
上記目的を達成するための本発明による光ディスク再生装置は、光ディスクに記録されているデータを読み出す再生手段と、前記再生手段により前記光ディスクの内周側または外周側に記録されているディスク管理領域のデータを読み出して、そのときの読み出しエラーに応じて再生特性を決めるパラメータの最適化を行う最適化手段と、を有して、前記最適化手段によって最適化されたパラメータにより、前記光ディスクのデータ領域に記録されているデータを前記再生手段により再生することを特徴とする。
【００１０】
また、上記目的を達成するための本発明による光ディスク再生方法は、光ディスクの内周側または外周側に記録されているディスク管理領域のデータを読み出して、そのときの読み出しエラーに応じて再生パラメータの最適化を行う段階と、前記最適化手段によって最適化されたパラメータにより、前記光ディスクのデータ領域に記録されているデータを再生する段階と、を有することを特徴とする。
【００１１】
このように構成された本発明は、データの記録時に同じ条件で記録されている管理情報部分を利用して再生特性の最適化を図る。これにより、たとえばランダム記録のように、データ領域のデータが光ディスク内で離れて記録されていようとも、再生特性を最適化するためにデータ領域内でデータが実際に存在している位置に光ピックアップをシークする必要がなくなる。
【発明の効果】
【００１２】
本発明によれば、光ディスクのデータ領域に記録されたデータを再生するまでにかかる時間を短くすることができる。
【図面の簡単な説明】
【００１３】
【図１】光ディスク上にランダム記録されたデータ構造を説明するための断面図である。
【図２】本実施形態１における光ディスク再生装置のハードウェア構成の一例を示すブロック図である。
【図３】適応型等化器の詳細を示すブロック図である。
【図４】タップ係数制御回路内のタップ初期値制御部の一例示すブロック図である。
【図５】タップ係数初期値の最適化処理の手順を示すフローチャートである。
【図６】メモリに記憶されるタップ係数初期値を含むパラメータリストの一例を示す図である。
【図７】再生動作全体の手順を示すフローチャートである。
【図８】本実施形態２における光ディスク再生装置のハードウェア構成の一例を示すブロック図である。
【図９】拘束長＝５、ＰＲ（１，２，２，２，１）の場合の等化目標設定を説明するためのグラフである。
【図１０】ビタビレベルアダプター内の等化目標レベル制御部を示すブロック図である。
【図１１】等化目標レベル初期値の最適化処理の手順を示すフローチャートである。
【図１２】メモリに記憶される等化目標レベル初期値を含むパラメータリストの一例を示す図である。
【発明を実施するための形態】
【００１４】
以下、本発明の実施形態を添付した図面を参照して説明する。
【００１５】
（実施形態１）
本実施形態１における光ディスク再生装置は、特に、コンテンツデータがランダム記録された光ディスクの再生に好適な装置である。ランダム記録可能な光ディスクとしては、たとえばＤＶＤ−ＲＡＭ、ＢＤ−ＲＥ、ＢＤ−Ｒなどである。
【００１６】
ただし、本実施形態の光ディスク再生装置としては、たとえば、コンパクトディスク（以下ＣＤという。ＣＤにはＣＤ−ＲＯＭ，ＣＤ−Ｒ，ＣＤ−ＲＷなどが含まれる）、デジタル多目的ディスク（以下ＤＶＤという。ＤＶＤにはＤＶＤ−ＲＯＭ，ＤＶＤ−Ｒ，ＤＶＤ＋Ｒ，ＤＶＤ−ＲＷ，ＤＶＤ−ＲＡＭなどが含まれる）、ブルーレイ（登録商標）ディスク（以下ＢＤという。ＢＤにはＢＤ−ＲＥ，ＢＤ−Ｒなどが含まれる）に対する再生装置に適用可能である。
【００１７】
ここで、光ディスクにおけるランダム記録のデータ構造について説明する。図１は、光ディスク上にランダム記録されたデータ構造を説明するための断面図である。
【００１８】
光ディスク上には、その最内周部分にリードイン領域１、最外周部にリードアウト領域２、そして、これらの間にコンテンツデータが記憶されたデータ領域３がある。なお、このほか欠陥領域を補完するためのスペア領域なども存在するが周知のことであるので図示省略した。
【００１９】
ランダム記録されたコンテンツデータは、データ領域３内に、所定の記録大きさを有する誤り訂正符号（ＥＣＣ：Ｅｒｒｏｒ  Ｃｏｒｒｅｃｔｉｎｇ  Ｃｏｄｅ）ブロックごとに記録されている。ランダム記録では、たとえば図示するように、第１アドレスのデータ５、第２アドレスのデータ６、第３アドレスのデータ７などとして、データ領域３内の離れた位置に記録されている。
【００２０】
そして、ランダム記録されたコンテンツデータの位置（アドレス）は、リードイン領域１（またはリードアウト領域２）に書き込まれている管理情報（ＤＤＳ（Ｔｈｅ  Ｄｉｓｃ  Ｄｅｆｉｎｉｔｉｏｎ  Ｓｔｒｕｃｔｕｒｅ））のなかに記録されている（なお、管理情報が記録されたリードイン領域１またはリードアウト領域２を管理領域という）。このＤＤＳのデータも、ＥＣＣブロック単位で記録されている。管理情報が書き込まれる位置は、記録層が１層の場合は、通常リードイン領域のみに書き込まれる。一方、２層構成または４層構成の場合は、１層目および３層目はリードイン領域１、２層目および４層目はリードアウト領域２に書き込まれている。
【００２１】
管理情報もコンテンツデータも、それらのデータが記録される際には、エンコードされたデータにＥＣＣが付加されて光ディスク書き込まれる。コンテンツデータは指定されたアドレス位置（ランダム記録として指定されたアドレス）から記録される。一方、ＤＤＳのデータは、コンテンツデータの記録終了と共に、データ先頭位置を示すアドレスが管理情報の１項目としてリードイン領域（またはリードアウト領域）に記録される。たとえば、ＢＤ−Ｒの場合、ＤＤＳは、リードイン領域（またはリードアウト領域）のＩＮＦＯ１／２／３／４に用意されるＤＭＡ１／２／３／４（３２クラスター）で構成され、一回の記録につき４クラスターを消費する。このためＢＤ−Ｒでは、最大８回の追記が可能となる。なお、書き換え型光ディスク（ＤＶＤ−ＲＡＭ、ＢＤ−ＲＥ）はＤＤＳも書き換えることができるため、このような制限はない。
【００２２】
このようにランダム記録されたコンテンツデータと管理情報は、いずれも同時期に同じ条件で書き込まれる。
【００２３】
以下、上述のようにランダム記録された光ディスクの再生方法およびその装置の実施形態について説明する。
【００２４】
図２は、本実施形態１における光ディスク再生装置のハードウェア構成（再生手段となる部分の構成）の一例を示すブロック図である。
【００２５】
ここでは光ディスク再生装置のＰＲＭＬ（Ｐａｒｔｉａｌ  Ｒｅｓｐｏｎｓｅ  Ｍａｘｉｍｕｍ  Ｌｉｋｅｌｉｈｏｏｄ）方式を用いて光ディスクを再生するための構成について説明する。
【００２６】
このＰＲＭＬ方式とは、光再生時に検出された電気的なアナログ信号に基づいて、情報記録層に記録されている２値データを推測するものであり、光ディスクでは特に高記録密度時に従来の２値スライス型の再生処理と比較して大幅な再生性能の向上が見込まれるため再生信号処理のなかで採用されて、線記録密度の大幅な向上を達成している。ＰＲＭＬ方式では、再生特性に応じたＰＲ（Ｐａｒｔｉａｌ  Ｒｅｓｐｏｎｓｅ）の参照クラス特性（拘束長）を適宜選択する。この拘束長は、対象となる記録マークを再生するレーザービームスポットが、この記録マークに隣接する記録マークの影響（光学干渉）をどの程度を受けるか、すなわち、隣接する記録マーク／スペースの状態に再生信号出力がどの程度拘束されるかを考慮して決定される必要がある。
【００２７】
たとえば、再生制御系における単位クロックの周期をＴとした際、ビームスポット内に、７Ｔに相当する長さの記録マーク／スペース列が存在する場合を考える。この場合は、ビームスポット中心に位置する記録マーク、スペースの反射光の出力値は、この中心を含んだ７Ｔ相当の記録マーク／スペース列の反射光を受けることになるので、拘束長ｎは少なくとも５以上に設定されることが望ましい。なお、拘束長５のＰＲＭＬとは、対象となる記録マークの符号ｂｉｔ「１」を再生する際に、隣接する符号ｂｉｔを含めた全５ｂｉｔを拘束する（影響を受ける）ことを想定している。この結果、再生応答波形が、たとえばＰＲ（１，２，２，２，１）の畳み込み演算結果で表現されることを前提に、等化・復号化して行くことになる。
【００２８】
以後の説明では、ＰＲＭＬ方式として拘束長５のＰＲ（１，２，２，２，１）を例に説明する。また、ＰＲＭＬ方式を用いたそのほか光ディスク再生装置における基本的な構成など周知の部分については省略した。
【００２９】
光ディスク再生装置は、光ディスク１０からＲＦ信号を取り出す光ピックアップ１１、ＲＦ信号をアナログ信号のまま増幅などの処理を行うアナログ信号処理部１２（プリアンプと称されることもある）、アナログ信号をデジタル信号に変換するＡＤＣ１３、再生信号の最適化を行う適応等化部１４、ビタビ複合を行うビタビデコーダー１５、ビタビレベルを決定するビタビレベルアダプター１６、同期信号を検出する同期信号（ＳＹＮＣ）検出部１７、デジタル信号をデータに変換するデコーダー１８、そして、各部の制御を行うコントローラ１９（たとえばマイクロプロセッサユニット）を有する。またビタビデコーダー１５とビタビレベルアダプター１６をあわせてビタビ複合部４０という。
【００３０】
基本的な再生動作は、まず、コントローラ１９の指令により、光ピックアップ１１が光ディスク１０のリードイン領域にシークされる。そして、モータ２０によって回転している光ディスク１０に対して光ピックアップ１１から再生用レーザー光を照射する。光ディスク１０からの反射光は光ピックアップ１１内の受光素子により受光され光電変換によって電気信号に変換されてＲＦ信号が得られる。その後、ＲＦ信号はアナログ信号処理部１２に入力される。アナログ信号処理部１２では、アンプ（ＡＭＰ）２１にて信号振幅が増幅され、自動ゲイン調整器（ＡＧＣ：Ａｕｔｏ  Ｇａｉｎ  Ｃｏｎｔｒｏｌ）２２にて所定の信号振幅となるように調整され、イコライザー（ＥＱ）２３にて所定の周波数帯域の信号が増幅される。その後、増幅されたＲＦ信号はアナログ−デジタル変換器（ＡＤＣ）１３に入力される。アナログ−デジタル変換器１３では、ＲＦ信号を量子化して、次段の適応等化部１４に入力する。適応等化部１４では再生信号の最適化が行われる（詳細後述）。
【００３１】
そして、再生信号は、ビタビ複合部４０に入力される。ビタビ複合部４０ではビタビデコーダー１５でビタビ復号される。その後、再生信号から同期信号検出部１７により同期信号が検出され、デコーダー１８によりデータに復元される。
【００３２】
次に、再生信号の最適化処理について説明する。本実施形態１では、再生信号の最適化処理として、ＰＲＭＬ方式を用いて光ディスクを再生する際に、光ディスクの管理領域を読み出したときに、適応等化部１４に供給するタップ（Ｔａｐ）係数初期値の最適化を行っている。
【００３３】
記録時の記録レーザパワーやライトストラテジー（ＷＳＴ：Ｗｒｉｔｅ  ｓｔｒａｔｅｇｙ）のばらつき、あるいはこれらの要因となる温度などの環境誤差によって、再生されたＲＦ信号特性にばらつきが生じる。タップ係数初期値は、ＲＦ信号特性のばらつきの影響を受け、最適となる初期値も変わってくる。タップ係数初期値は、適応型等化器の安定動作やタップ係数の収束する時間に大きく関わり、同期信号（ＳＹＮＣ）を検出するまでの時間に大きな影響を与える。これは、もし再生時に同期信号の検出が所定時間内に行えない場合はリードエラーとなり、その結果、リトライ処理を行うこととなりパフォーマンスの低下につながるため、重要な再生パラメータの一つである。したがって、このタップ係数初期値の最適化を行うことで、ＲＦ信号の特性ばらつきで生じるタップ係数初期値の最適値からのずれを低減させ、適応型等化回路の収束を早め、同期信号を検出するまでの時間を短縮させて、安定した再生動作を実現させることができる。
【００３４】
図３は、適応型等化器の詳細を示すブロック図である。
【００３５】
適応型等化器１４は、適応型等化器３１、適応学習回路３２からなる。また、適応学習回路３２からはタップ係数初期値を記憶したメモリ３３（記憶手段）に接続されている。
【００３６】
適応型等化器３１は、たとえば、トランスバーサルフィルター（Ｔｒａｎｓｖｅｒｓａｌ  ｆｉｌｔｅｒ）構造を有するＦＩＲイコライザーからなり、各タップの信号は適応学習回路３２で更新されるタップ係数制御回路によって重み付けされた後、加算される形となっている。また、メモリ３３は、たとえばＥＥＰＲＯＭやフラッシュメモリなど不揮発性メモリを使用することが好ましい。
【００３７】
具体的には、図３に示すように、フリップフロップ（Ｆｌｉｐ−ｆｌｏｐ）で構成された１クロック遅延器１０１、１０２で、入力信号を１クロック遅延させて出力する。乗算回路１０３、１０４、１０５では二つの入力値の積を出力する。加算回路１０６、１０７、１０８、１１４では二つの入力値の和を出力する。図３に示した回路では、三つの乗算器を用いる３タップ型のデジタルフィルター構成の例を示したが、乗算器の数が異なる場合でも基本的な動作は同じである。ここでは図示した３タップ型の場合について説明する。
【００３８】
この適応型等化器の働きについて、まず、通常状態（再生中）の動作を説明する。
【００３９】
光ディスクの再生（データリード（Ｄａｔａ  Ｒｅａｄ））時の時刻ｋにおける適応型等化器３１の入力信号をＸ（ｋ）、乗算回路１０３、１０４、１０５に入力される乗数をそれぞれｃ１，ｃ２，ｃ３とすると、適応型等化部の等化出力Ｙ（ｋ）は、以下の（１）式で表現できる。なお、入力信号Ｘ（ｋ）とはアナログ−デジタル変換器１３からの信号である。また、等化出力Ｙ（ｋ）とはビタビデコーダー１５へ出力される信号である。
【００４０】
Ｙ（ｋ）＝ｘ（ｋ）＊ｃ１＋ｘ（ｋ−１）＊ｃ２＋ｘ（ｋ−２）＊ｃ３  …（１）
Ｙ（ｋ）に対してビタビデコーダー１５にて復号されて出力されるバイナリーデータをＡ（ｋ）とする。たとえばＰＲ（１，２，２，２，１）とし、Ａ（ｋ）が正しい再生データであるとすると、時刻ｋでの適応型等化器３１の本来の出力Ｚ（ｋ）は、以下の（２）式となる。
【００４１】
Ｚ（ｋ）＝Ａ（ｋ）＋２＊Ａ（ｋ−１）＋２＊Ａ（ｋ−２）＋２＊Ａ（ｋ−３）
＋Ａ（ｋ−４）  …（２）
そこで、時刻ｋでの等化誤差Ｅ（ｋ）を以下の（３）式で定義する。
【００４２】
Ｅ（ｋ）＝Ｙ（ｋ）−Ｚ（ｋ）  …（３）
適応学習では、以下の（４）乃至（６）式に従い各乗算器の係数を更新する。
【００４３】
ｃ１（ｋ＋１）＝ｃ１（ｋ）−α＊ｘ（ｋ）＊Ｅ（ｋ）  …（４）
ｃ２（ｋ＋１）＝ｃ２（ｋ）−α＊ｘ（ｋ−１）＊Ｅ（ｋ）  …（５）
ｃ３（ｋ＋１）＝ｃ３（ｋ）−α＊ｘ（ｋ−２）＊Ｅ（ｋ）  …（６）
（４）乃至（６）式のαは、更新係数であり正の小さな値（たとえば０．０１）を設定する。上記の（２）式に示した処理を行うのが波形合成回路１１３（ビタビレベルアダプター１６内の回路）である。遅延回路１１２では、加算回路１０８の出力Ｙ（ｋ）に対して、ビタビデコーダー１５での処理時間に相当する遅延処理を行い、加算回路１１４において、上記の（３）式に示した処理を行う。タップ係数制御回路（図示タップ係数制御とした）１０９では、（４）式に示した演算を行い乗算器１０３の係数を更新し制御する。更新結果は、メモリ３３に格納される。タップ係数制御回路１１０では、（５）式に示した演算を行い、乗算器１０４の係数を更新する。更新結果は、メモリ３３に格納される。同様に、タップ係数制御回路１１１では、（６）式に示した演算を行い、乗算器１０５の係数を更新する。更新結果は、メモリ３３に格納される。
【００４４】
ビタビレベルアダプター１６で最適なビタビレベル（上記の例ではＰＲ（１，２，２，２，１））を決定し、このビタビレベルに対して適応等化される。適応等化された信号出力は、ビタビデコーダー１５に入力される。
【００４５】
ビタビデコーダー１５では、入力信号に対して最尤列推定（ビタビ復号）を行い、バイナリーデータＡ（ｋ）を出力する。
【００４６】
このバイナリーデータＡ（ｋ）は、ビタビレベルアダプター１６以外にも同期信号検出回路１７にも送られ、ここで同期信号の検出が行われる。次に、デコーダー１８へ送られデータの複合およびアドレスの複合が行われる。
【００４７】
上記は通常状態における再生時のＲＦ信号の流れを説明してきたが、これに対して、再生直後の場合についてのタップ係数制御について説明する。図４にタップ係数制御回路１０９内のタップ初期値制御部の一例示すブロック図である。
【００４８】
タップ初期値制御部１２０は、セレクターであり、コントローラ１９からの初期タップ制御信号によって、入力側の初期値の経路「タップ係数初期値：１側」か、「通常の経路：０側（ｃ１（ｋ）−α＊ｘ（ｋ）＊Ｅ（ｋ））のいずれかが選択される。
【００４９】
通常（再生中）は、（４）式に示した演算に従いタップ係数が用いられるが、再生開始点では初期タップ制御信号によりあらかじめメモリ３３内に記憶させておいたタップ係数初期値の経路：１側を使用するように信号経路が選択され、その後、通常の経路：０側へと切り替えられる。これらの動作は他のタップ係数制御回路１１０および１１１においても同様に処理される。
【００５０】
ここで、タップ係数初期値は、通常、光ディスク再生装置の製造出荷時における工程調整等であらかじめ決められた値である。このため、全ての記録状態において最適な値とは言えない。ランダム記録された光ディスクでは複数の装置で記録されていたり、記録時の温度が違っていたりして、記録された信号の状態もその箇所毎に最適値が異なることが予想される。このため再生時においてもタップ係数初期値の最適化が必要とされる。なお、装置の出荷時におけるタップ係数初期値もメモリ３３に工場出荷段階で記憶されている（これを装置固有のタップ係数初期値という）。
【００５１】
そこで本実施形態では、内外周にあるリードイン領域またはリードアウト領域（管理領域）を利用して、このタップ係数初期値の最適化を行うのである。
【００５２】
図５はタップ係数初期値の最適化処理の手順を示すフローチャート（サブルーチン）である。このタップ係数初期値の最適化処理の手順は、後述する再生動作手順のなかの１ステプ（Ｓ１２）のサブルーチンとしてコントローラ１９により実行される。したがって、この処理を実行するコントローラ１９および適応等化部１４が最適化手段となる。
【００５３】
この最適化処理は、後述する図７に記載の管理情報の有無判断で有りと判断された後に行われる（タップ係数初期値最適化処理スタート（Ｓ１００））。そして最初に、初期タップ制御信号によってタップ係数信号経路を初期値の経路：１側にして、タップ係数初期値を設定する（Ｓ１０１）。このとき入ってくるタップ係数初期値は装置固有のタップ係数初期値である。
【００５４】
続いて、管理情報の読み取りを実行しつつタップ係数適応制御動作を開始させる（Ｓ１０２）。続いて、コントローラ１９からの初期タップ制御信号によってタップ係数信号経路を通常の経路：０側に戻し（Ｓ１０３）、引き続き適応制御動作続行しタップ係数が安定化した（収束した）状態まで続け（Ｓ１０４）、安定化した状態におけるタップ係数をコンテンツデータ再生時に使用するタップ係数初期値としてメモリ３３へ記憶する（Ｓ１０５）。そして最適化処理は終了する（メインルーチンへのリターン：Ｓ１０６）。
【００５５】
タップ係数が安定化したかどうかの判断は、管理情報を読み出したときに検出したエラー値が最小の値に収束したとき、またはあらかじめ決められたエラー値より小さくなったか否かにより判断する。これはたとえば、前者であればタップ係数が安定していない状態では、読み出した信号のエラー値は始め大きく、徐々に小さくなり、その後再び大きくなるので、もっとも小さくなったエラー値のときのタップ係数を安定した状態のタップ係数とするものである。後者の場合は、データ読み出しに際してこの程度のエラー値であれば許容できるしきい値をあらかじめ決めておいて、エラー値がそのしきい値以下になったときのタップ係数を安定した状態のタップ係数とするものである。エラー値の検出は、コントローラ１９が、デコーダー１８によって複号された信号により行い、エラー値が最小の値に収束したとき、またはあらかじめ決められたしきい値より小さくなった時点で、そのときのタップ係数の値をタップ係数初期値としてメモリ３３へ記憶させるように制御している。なお、タップ係数が安定化するまでの間は、同じ管理情報を読み取ることになる。
【００５６】
この動作は回転速度を変更するごとに行い、また、管理領域にランダム記録に対応して複数の記録領域（複数の記録アドレス）が存在する場合、Ｓ１００からＳ１０６の動作を引き続き行う。また内外周に管理領域がある場合は、同様な動作を内外周で行うことで、多層ディスクの場合に、各層において同様な最適化処理を行うことになる。
【００５７】
図６は、メモリに記憶されるタップ係数初期値を含むパラメータリストの一例を示す図である。ここでは、３タップ型のデジタルフィルターを例として記載している。
【００５８】
このパラメータリストの先頭にはユニットヘッダー（Ｕｎｉｔ  Ｈｅａｄｅｒ）として、最適化を行った光ディスクの識別情報（ＭＩＤ：Ｍａｎｕｆａｃｔｕｒｅｒ’ｓ  Ｉｄｅｎｔｉｆｉｃａｔｉｏｎ）、ディスク管理領域の記録箇所と対応するデータ領域の記録アドレス、レイヤー（記録層）、Ｉｎ／Ｏｕｔ（管理領域がリードイン側かリードアウト側か）、最適化を行ったときの光ディスク回転速度、温度情報を記憶している。なお温度情報は再生装置内の光ディスク近傍に設けられている温度センサー（不図示）の値であり、再生動作中（たとえば最適化を処理を行った時点の温度）の温度を記録する。
【００５９】
このユニットヘッダーに続いて、データ領域を再生するときのタップ係数初期値として使用するタップ係数初期値（上述のようにして最適化したタップ係数初期値）が記憶される。ここで、タップ係数初期値は、３タップ型であるので、それぞれの初期値が記録される。このようなパラメータリストが、最適化処理を実行した分だけメモリ３３に記憶される。
【００６０】
このパラメータリストは、同じ光ディスクであっても、回転速度や温度が違うごとに最適化処理が行われて、別々のパラメータリストとして保存されてゆくことになる。
【００６１】
ここでメモリ３３に保存したそれぞれの条件における各タップ係数初期値は、ディスク管理情報に記録されているデータ領域内のデータ位置を示すアドレスのコンテンツデータを再生するときのタップ係数初期値として使用する。これにより、データ領域のコンテンツデータを再生する際に、適応型等化回路のタップ係数の安定した制御が行えるようにし、またタップ係数の収束を早め、結果として、同期信号を検出するまでの時間を短縮させ、安定した再生動作を実現することができる。
【００６２】
次に、再生動作全体の手順を説明する。図７は再生動作全体の手順を示すフローチャートである。
【００６３】
まず、コントローラ１９は、光ディスクがセットされると、モータ２０を起動して光ディスクを回転させ、光ピックアップ１１を光ディスクのリードイン領域に位置決めする（Ｓ１）。
【００６４】
続いて、コントローラ１９は、光ディスクのリードイン領域からＭＩＤを読み込んで光ディスクの種類を判別する（Ｓ２）。その後、読み込んだＭＩＤに応じて光ディスクの種類ごとにあらかじめ定められている光学系の焦点位置や最適な回転速度（サーボ系）の設定を行う（Ｓ３：光学およびサーボ系設定）。
【００６５】
続いて、コントローラ１９は、光ピックアップ１１をリードイン領域内の管理情報記録部分へ移動させて、その部分の読み込みを行う（Ｓ４）。そして読み込んだデータから管理情報（ＤＤＳ）があるか否かを判断する（Ｓ５）。ここで管理情報は、既に説明したように、光ディスクの層構造により異なるが、ＤＭＡ１／２／３／４（３２クラスター）で構成されている。そこで、リードイン領域に管理情報がない場合はリードアウト領域を検索して、いずれかの領域に管理情報があるか否かを判断することになる。なお、何がしかのデータが記録されている光ディスクでは、ＤＭＡ１／２／３／４のいずれかに管理情報が存在するが、何も記録されていないブランクディスクだといずれにも管理情報が記録されていない。
【００６６】
そこで、Ｓ５において、まず、ＤＭＡ１部分に管理情報がなければ（Ｓ５：ＮＯ）、全管理情報を検索したか否かを判断して（Ｓ６）、全管理情報を検索していなければ（Ｓ６：ＮＯ）、次の管理情報領域へ光ピックアップを移動させて（Ｓ７）、Ｓ５へ戻る。一方、Ｓ６において全ての管理情報を検索し終わったなら（Ｓ６：ＹＥＳ）、ブランクディスクであると判断し、処理を終了する。
【００６７】
Ｓ５において、管理情報ありと判断されたなら（Ｓ５：ＹＥＳ）、コントローラ１９は、続いて、その管理情報を読み取って（Ｓ１０）、読み取った管理情報と現在の再生条件（回転速度および温度）がメモリ３３に記録したパラメータリストのユニットヘッダーと同じか否かを判断する（Ｓ１１）。つまり、管理情報内のＭＩＤ、データ領域内のデータが記録されているアドレス、および装置から得られる現在の回転速度および温度が一致するパラメータリストがあるか否かを判断するのである。ここで、回転速度は再生時に設定できる回転速度であり、あらかじめいくつかの速度が決まっているので、そのいずれかの速度である。また、温度は完全に一致しなくても、パラメータリスト内の温度情報の値に対して、温度による影響で再生特性が変化しない範囲であれば一致するものと判断する（これは、再生する光ディスク、たとえばＤＶＤかブルーレイディスクかなどにより、温度による影響が違うため、それらに合わせてあらかじめ一致すると判断する温度範囲を設定しておくことになる）。読み取った管理情報および現在の再生条件がパラメータリストのユニットヘッダーと同じであれば、その光メディアは以前に同じ再生条件で再生された際に最適化されたパラメータがメモリ３３にパラメータリストとして記憶されたものが既に存在しているということである。
【００６８】
なお、このＳ１０の段階では再生特性の最適化は行われていない。しかし、不良ディスクでない限り、多少エラーが多くても（読み取りに時間がかかることもあるが）管理情報の読み取りは可能である。ただしエラーが多く発生して読み取り不能となった場合は、その時点で再生不良ディスクとして警告を出力して処理を終了してもよい。
【００６９】
Ｓ１１において、ユニットヘッダーが一致するパラメータリストがあれば（Ｓ１１：ＹＥＳ）、そのパラメータリストのタップ係数初期値をメモリ３３から読み出して、コンテンツデータを再生するためのパラメータに設定し（Ｓ１３）、コンテンツデータの再生動作（Ｓ１４）に移り、処理は終了する。
【００７０】
一方、Ｓ１１において、管理情報および現在の再生条件がユニットヘッダーと一致するパラメータリストがなければ（Ｓ１１：ＮＯ）、コントローラ１９が、前述したとおり、管理情報を利用してパラメータの最適化（タップ係数初期値の最適化）を実行する（Ｓ１２）。最適化されたパラメータはメモリ３３に保存される（前述のＳ１０５）。その後、最適化されたパラメータを読み出してコンテンツデータの再生の際のパラメータに設定して（Ｓ１３）、再生動作（Ｓ１４）に移る。なお、コンテンツデータの再生動作は、通常の動作であり、管理情報内のデータ領域のアドレスに光ピックアップ１１を移動させて再生することになる（これは通常の動作であるので詳細な説明は省略する）。
【００７１】
以上説明した本実施形態によれば、光ディスクのデータ領域にランダムにコンテンツデータを記録する際に、同じ条件で記録されている管理領域（リードイン領域またはリードアウト領域）を利用して再生特性の最適化を図ることとしたので、再生特性の最適化のためにいちいちランダム記録されているデータ位置に光ピックアップを位置決め（シーク）する必要がなくなる。このため、ランダム記録された光ディスクであっても、光ディスクをセットしてから、コンテンツの再生を開始するまでの時間を短縮することができる。
【００７２】
また、最適化したパラメータは、その光ディスクのデータアドレスおよび再生条件（回転速度と最適化したときの温度）と共に、装置内に記憶しておくこととしたので、再び、同じ光ディスクの同じデータが、同じ条件で再生されるときには、最適化処理を行わなくても記憶されているパラメータにより、すぐにコンテンツの再生に移ることが可能となり、いっそう再生までの時間が短くなる。なお、このように、最適化したパラメータを記憶しなくても本発明は実施可能である。その場合、光ディスクを交換するたびにパラメータの最適化処理が必要となるが、それでもランダム記録されたデータを再生する際の動作を早くすることができる。
【００７３】
（実施形態２）
実施形態１としてＰＲＭＬ方式を用いた光ディスクの再生において、適応等化部で使用するタップ係数初期値を最適化することを説明した。しかしこれに限らず、さまざまな再生パラメータの最適化に適用することができる。たとえば、ビタビ復号部４０に供給する最尤復号（Ｍａｘｉｍｕｍ  Ｌｉｋｅｌｉｈｏｏｄ  Ｄｅｃｏｄｉｎｇ）の等化目標レベル初期値の最適化について行うことができる。
【００７４】
図８は、実施形態２における光ディスク再生装置のハードウェア構成（再生手段となる部分の構成）の一例を示すブロック図である。
【００７５】
ここで、本実施形態２における光ディスク再生装置のうち、図２に示した実施形態１と異なるのは、最適化した等化目標レベル初期値の値をビタビ復号部４０のビタビレベルアダプター１６からメモリ３３に記憶することができるようになっていることである。その他の構成は実施形態１と同じであるので説明は省略する。また、本実施形態２に係る再生動作全体の手順も図７により説明した実施形態１と同じであるので説明を省略する。
【００７６】
本実施形態２では、ＰＲＭＬ方式を用いて光ディスクを再生する光ディスク再生装置において、ディスク管理領域の再生時にビタビ復号部４０（図２におけるビタビデコーダー１５およびビタビレベルアダプター１６からなる）に供給する最尤復号の等化目標レベル初期値の最適化を行う場合を説明する。
【００７７】
最尤復号とは、誤りがあって確定できないデータ列について、その候補のなかから確率的にもっとも可能性の高いデータ列を判定する技術であり、本実施形態では、適応等化部１４を通過したＲＦ信号をビタビレベルアダプター１６で等化目標レベルと比較し、もっとも近い目標と判断することを意味する。ここでは、この等化目標レベルの初期値の最適化を行う。
【００７８】
図９は、拘束長＝５、ＰＲ（１，２，２，２，１）の場合の等化目標設定を説明するためのグラフである。
【００７９】
このＰＲ（１，２，２，２，１）最尤復号での等化目標レベルは、通常は０〜８の９レベルを整数比で（等間隔に）設定することになるので、等化目標レベルのピークレベル（Ｐｅａｋ  Ｌｅｖｅｌ）〜ボトム（Ｂｏｔｔｏｍ  Ｌｅｖｅｌ）間は１レベル幅×８の振幅となる。等化目標レベルの適応機能を具備した光ディスク再生装置では、実際のＲＦ信号との差が最小になるようリアルタイムで微調整される（ピークレベル〜ボトムレベルの中間をセンターレベル（Ｃｅｎｔｅｒ  Ｌｅｖｅｌ）という）。このため、その初期値は等化目標レベルの収束する時間に大きく関わるパラメータとなり、同期信号を検出するまでの時間に大きな影響を与える。もしも、再生時（データリード時）に同期信号検出が所定時間内に行えない場合はリードエラーが発生し、その結果、リトライ処理を行うこととなりパフォーマンスの低下につながるため、重要なパラメータの一つでもある。したがって、このパラメータも再生パラメータの一つである。
【００８０】
そのために、ランダム記録されたデータ領域のコンテンツデータを再生するための等化目標レベル初期値を内外周にあるリードイン領域またはリードアウト領域（管理領域）を再生して求め、データ領域のコンテンツデータを再生する際の等化目標レベル初期値として使用する。
【００８１】
この等化目標レベル初期値の最適化処理について説明する。図１０は、ビタビレベルアダプター内の等化目標レベル制御部の一例を示すブロック図である。
【００８２】
等化目標レベル制御部１３０は、セレクターであり、コントローラ１９からの等化目標レベル制御信号によって、入力側の初期値の経路を「等化目標レベル初期値：１側」か、「通常の経路：０側」のいずれかが選択される。
【００８３】
等化目標レベル初期値も、通常は、光ディスク再生装置の製造出荷時における工程調整等であらかじめ決められた値である。このため、全ての記録状態において最適な値とは言えない。このため等化目標レベル初期値の最適化が必要とされる。なお、装置の出荷時における等化目標レベル初期値もメモリ３３に工場出荷段階で記憶されている（これを装置固有の等化目標レベル初期値という）。
【００８４】
再生開始点では、等化目標レベル制御信号によりあらかじめメモリ３３内に記憶させておいた等化目標レベル初期値：１側を使用するように信号経路が選択され、その後、通常（再生中）の信号経路へと切り替えられる。これらの動作は他の等化目標レベルについても同様に処理される。この等化目標レベルの最適化処理を行う時の初期値は、前述のように等化目標レベルを０〜８の９レベルを整数比で（等間隔に）設定しておくことを想定し、その後にディスク管理領域の対応する記録箇所をリード時の初期値はこの最適化処理で求めた値を使用する。）
図１１は、等化目標レベル初期値の最適化処理の手順を示すフローチャートである。この等化目標レベル初期値の最適化処理は、コントローラ１９により、図７に記載の情報エリア有無判断で有りと判断された後に行われる。この処理も、図７に示したメインフローチャートのなかのＳ１２におけるサブルーチンとなる。したがって、この処理を実行するコントローラ１９およびビタビ複合部４０が最適化手段となる。
【００８５】
最適化処理がスタート（Ｓ２００）したなら、最初に、等化目標レベル制御信号により等化目標レベルの信号経路を初期値の経路：１側に設定する（Ｓ２０１）。このとき入ってくる等化目標レベル初期値は、装置固有の等化目標レベル初期値である。
【００８６】
続いて、管理情報の読み取りを実行しつつ等化目標レベルの適応制御動作を開始させ（Ｓ２０２）、続いて、等化目標レベル制御信号により等化目標レベルの信号経路を通常の経路：０側に戻し（Ｓ２０３）、引き続き、適応制御動作続行し等化目標レベルが安定した状態まで続け（Ｓ２０４）、安定した状態の等化目標レベルをデータ領域のコンテンツデータを再生する等化目標レベル初期値としてメモリ３３に記憶し（Ｓ２０５）、最適化処理は終了する（Ｓ２０６）。
【００８７】
ここで、適応制御動作中の等化目標レベルが安定化したどうかの判断は、管理情報を読み出したときに検出したエラー値が最小の値に収束したとき、またはあらかじめ決められたエラー値より小さくなったか否かにより判断する。これはたとえば、前者であれば等化目標レベルが安定していない状態では、読み出した信号のエラー値は始め大きく、徐々に小さくなり、その後再び大きくなるので、もっとも小さくなったエラー値のときの等化目標レベルを安定した状態における等化目標レベルとするものである。後者の場合は、データ読み出しに際してこの程度のエラー値であれば許容できる範囲となるしきい値をあらかじめ決めておいて、エラー値がそのしきい値以下になったときの等化目標レベルを安定した状態の等化目標レベルとするものである。エラー値の検出は、コントローラ１９が、デコーダー１８によって複号された信号により行い、エラー値が最小の値に収束したとき、またはあらかじめ決められたしきい値より小さくなった時点で、そのときの等化目標レベルの値を初期値としてメモリ３３へ記憶させるように制御している。なお、等化目標レベルが安定化するまでの間は、同じ管理情報を読み取ることになる。
【００８８】
この動作は回転速度毎に行い、また、ディスク管理領域にランダム記録に対応した複数の記録エリアが存在する場合、（Ｓ２００）から（Ｓ２０６）の動作を引き続き行う。内外周にディスク管理領域がある場合は、同様な動作を内外周で行い、多層ディスクの場合、各層において同様な動作を行うものである。
【００８９】
図１２は、メモリに記憶される等化目標レベル初期値を含むパラメータリストの一例を示す図である。
【００９０】
ここでは、上述のように拘束長＝５、ＰＲ（１，２，２，２，１）の例を記載しているため、９レベルの等化目標レベルに対応した初期値を保存することになる。
パラメータリストの先頭にはユニットヘッダーとしてＭＩＤ、ディスク管理領域の記録箇所と対応するデータ領域の記録アドレス、レイヤー（記録層）、Ｉｎ／Ｏｕｔ（管理領域がリードイン側かリードアウト側か）、最適化を行ったときの光ディスク回転速度、温度情報を記憶している。なお温度情報は再生装置内の光ディスク近傍に設けられている温度センサー（不図示）の値であり、再生動作中（たとえば最適化を処理を行った時点の温度）の温度を記録する。続いて、データ領域の記録箇所を再生する時の等化目標レベルの初期値として使用する等化目標レベル初期値１乃至９が記載されている。このようなパラメータリストが、最適化処理を実行した分だけメモリ３３に記憶される。
【００９１】
このように等化目標レベル初期値の最適化処理を、前述の実施形態１におけるタップ係数初期値の最適化処理と共に行った場合、ユニットヘッダーを共通にして、それぞれの最適化処理結果を追記する形態を取っても良い。なお、タップ係数初期値の最適化処理および等化目標レベル初期値の最適化処理の両方を行う場合、どちらを先に実行してもよい。両方の最適化を行う場合は、図７のＳ１２内において、両方の最適化を実行した後、メインルーチンへリターンすることになる。
【００９２】
ここでメモリ３３に記憶したそれぞれの条件における各等化目標レベル初期値は、ディスク管理情報に記録されているデータ領域内のデータ位置を示すアドレスのコンテンツデータを再生するときの等化目標レベル初期値として使用する（図７のＳ１３におけるパラメータ設定のステップで等化目標レベル初期値に設定される）。
【００９３】
これにより、ビタビレベルアダプター１６の等化目標レベルの安定した制御が行えるようになり、また等化目標レベルの収束を早め、結果として、同期信号を検出するまでの時間を短縮させ、リードエラーの発生を抑えて、回転速度の低下やリトライといった再生時のパフォーマンスを低下させることなく安定した再生を実現可能となる。
【００９４】
本実施形態２においても、光ディスクのデータ領域にランダムにコンテンツデータを記録する際に、同じ条件で記録されている管理領域（リードイン領域またはリードアウト領域）を利用して再生特性の最適化を図ることとしたので、再生特性の最適化のためにいちいちランダム記録されているデータ位置に光ピックアップを位置決め（シーク）する必要がなくなる。このため、ランダム記録された光ディスクであっても、光ディスクをセットしてから、コンテンツの再生を開始するまでの時間を短縮することができる。特に、タップ係数初期値の最適化処理および等化目標レベル初期値の最適化処理の両方を行うことで光ディスクをセットしてから、コンテンツの再生を開始するまでの時間を大幅に短縮することができる。なお、等化目標レベル初期値の最適化処理単独で行うことでも光ディスクをセットしてから、コンテンツの再生を開始するまでの時間を短縮することができる。
【００９５】
また、本実施形態２においても、最適化したパラメータは、その光ディスクのデータアドレスと再生条件（回転速度と最適化したときの温度）と共に、装置内に記憶しておくこととしたので、再び、同じ光ディスクの同じデータが、同じ条件で再生されるときには、最適化処理を行わなくても、記憶されているパラメータにより、すぐにコンテンツの再生に移ることが可能となり、いっそう再生までの時間が短くなる。なお、このように、最適化したパラメータを記憶しなくても本発明は実施可能である。その場合、光ディスクを交換するたびにパラメータの最適化処理が必要となるが、それでもランダム記録されたデータを再生する際の動作を早くすることができる。
【００９６】
以上、本発明の最適な実施形態を説明したが、本発明は、上述した実施形態に限定されるもではなく、さまざまな再生パラメータの最適化に適用することができる。また、実施形態では、ランダム記録された光ディスクに対応したものとして説明したが、本発明は、シーケンシャルにデータが記録されたディスクでも、そのまま適用可能である。特に、一度、最適化したパラメータを記憶した後に、ユニットヘッダーが一致するパラメータリストが存在する光ディスクを再生する際には、シーケンシャル記録されたディスクでも、再生パラメータの再設定は必要なくなるため、その分再生までの時間を短縮することが可能である。また、実施形態では、光ディスク再生装置として説明したが、本発明は再生専用の装置に限定されるものではなく、光ディスクへの記録も行うことのできる光ディスク記録再生装置における再生機能部分として適用可能である。したがって、本発明を再生機能部分に適用した光ディスク記録再生装置もまた、本発明に属する。
【００９７】
そのほか、本願の特許請求の範囲に記載した技術思想の範囲でさまざまな変形形態が可能であることは言うまでもない。
【符号の説明】
【００９８】
１１  光ピックアップ（Ｐ／Ｕ）、
１２  アナログ信号処理部、
１３  アナログ−デジタル変換器（ＡＤＣ）、
１４  適応等化部、
１５  ビタビデコーダー、
１６  ビタビレベルアダプター、
１７  同期信号検出部、
１８  デコーダー、
１９  コントローラ、
２１  アンプ（ＡＭＰ）、
２２  自動ゲイン調整器（ＡＧＣ）、
２３  イコライザー（ＥＱ）、
３１  適応型等化器、
３２  適応学習回路、
３３  メモリ、
４０  ビタビ復号部。
【図１】
2012133838.tif 000003
【図２】
2012133838.tif 000004
【図３】
2012133838.tif 000005
【図４】
2012133838.tif 000006
【図５】
2012133838.tif 000007
【図６】
2012133838.tif 000008
【図７】
2012133838.tif 000009
【図８】
2012133838.tif 000010
【図１０】
2012133838.tif 000011
【図１１】
2012133838.tif 000012
【図１２】
2012133838.tif 000013
【図９】
2012133838.tif 000014